(57)【要約】【課題】情報の送受信状況を、ユーザが直感的に容易に認識できるようにする。【解決手段】出力部上のいずれかの位置を送信位置として受け付ける受付ステップと、情報を記憶部から読み出し、当該情報を所定のデータ量毎に他の装置に送信する送信ステップと、送信ステップにおいて送信された送信済みデータ量と情報の全体データ量との割合に応じて、表示情報の収縮度を算出するとともに、表示情報が表示されている位置から送信位置へ移動の度合いを算出する算出ステップと、算出ステップの算出結果に基づいて、収縮した表示情報を送信位置方向へ移動させて出力する出力ステップと、を行う。【選択図】  図３
2006119900.tif 000002
【特許請求の範囲】
【請求項１】
送信状況の表示方法であって、
情報処理装置は、情報を記憶する記憶部と、前記情報を所定の形状で表した表示情報を表示する出力部と、処理部とを有し、
前記処理部は、
前記出力部上のいずれかの位置を送信位置として受け付ける受付ステップと、
前記情報を前記記憶部から読み出し、当該情報を所定のデータ量毎に他の装置に送信する送信ステップと、
前記送信ステップにおいて送信された送信済みデータ量と前記情報の全体データ量との割合に応じて、前記表示情報の収縮度を算出するとともに、前記表示情報が表示されている位置から前記送信位置へ移動の度合いを算出する算出ステップと、
前記算出ステップの算出結果に基づいて、収縮した表示情報を前記送信位置方向へ移動させて出力する出力ステップと、を行うこと
を特徴とする送信状況の表示方法。
【請求項２】
受信状況の表示方法であって、
情報処理装置は、情報を記憶する記憶部と、前記情報を所定の形状で表した表示情報を表示する出力部と、処理部とを有し、
前記処理部は、
前記出力部上のいずれかの位置を受信位置として受け付ける受付ステップと、
受信完了後に表示情報が表示される受信完了後の位置を特定する特定ステップと、
他の装置から送信される情報を所定のデータ量毎に受信し、前記記憶部に記憶する受信ステップと、
前記受信ステップにおいて受信された受信済みデータ量と前記情報全体のデータ量との割合に応じて、前記表示情報の拡大度を算出するとともに、前記受信位置から前記受信完了後の位置への移動の度合いを算出する算出ステップと、
前記算出ステップの算出結果に基づいて、拡大した表示情報を前記受信完了後の位置方向へ移動させて出力する出力ステップと、を行うこと
を特徴とする受信状況の表示方法。
【請求項３】
情報処理装置であって、
情報を記憶する記憶手段と、
前記情報を所定の形状で表した表示情報を出力する出力手段と、
前記出力手段の表示画面上のいずれかの位置を、送信位置として受け付ける受付手段と、
前記情報を前記記憶手段から読み出して、当該情報を所定のデータ量毎に他の装置に送信する送信手段と、
前記送信手段が送信した送信済みデータ量と前記情報の全体データ量との割合に応じて、前記表示情報の収縮度を算出するとともに、前記表示情報が表示されている位置から前記送信位置へ移動の度合いを算出する算出手段と、
前記算出手段が算出した算出結果に基づいて、前記出力手段に表示される表示画面を更新する更新手段と、を有すること
を特徴とする情報処理装置。
【請求項４】
情報処理装置であって、
情報を記憶する記憶手段と、
前記情報を所定の形状で表した表示情報を出力する出力手段と、
前記出力手段の表示画面上のいずれかの位置を、受信位置として受け付ける受付手段と、
受信完了後に表示情報が表示される受信完了後の位置を特定する特定手段と、
他の装置から送信される情報を所定のデータ量毎に受信し、前記記憶手段に記憶する受信手段と、
前記受信手段が受信した受信済みデータ量と前記情報全体のデータ量との割合に応じて、前記表示情報の拡大度を算出するとともに、前記受信位置から前記受信完了後の位置への移動の度合いを算出する算出手段と、
前記算出手段が算出した算出結果に基づいて、前記出力手段に表示される表示画面を更新する更新手段と、を有すること
を特徴とする情報処理装置。
【請求項５】
情報処理装置上で動作する送信状況表示プログラムであって、
前記情報処理装置は、情報を記憶する記憶部と、前記情報を所定の形状で表した表示情報を表示する出力部と、処理部とを有し、
前記処理部に、
前記出力部上のいずれかの位置を送信位置として受け付ける受付ステップと、
前記情報を前記記憶部から読み出し、当該情報を所定のデータ量毎に他の装置に送信する送信ステップと、
前記送信ステップにおいて送信された送信済みデータ量と前記情報の全体データ量との割合に応じて、前記表示情報の収縮度を算出するとともに、前記表示情報が表示されている位置から前記送信位置へ移動の度合いを算出する算出ステップと、
前記算出ステップの算出結果に基づいて、収縮した表示情報を前記送信位置方向へ移動させて出力する出力ステップと、を実行させること
を特徴とする送信状況表示プログラム。
【請求項６】
情報処理装置上で動作する受信状況表示プログラムであって、
前記情報処理装置は、情報を記憶する記憶部と、前記情報を所定の形状で表した表示情報を表示する出力部と、処理部とを有し、
前記処理部に、
前記出力部上のいずれかの位置を受信位置として受け付ける受付ステップと、
受信完了後に表示情報が表示される受信完了後の位置を特定する特定ステップと、
他の装置から送信される情報を所定のデータ量毎に受信し、前記記憶部に記憶する受信ステップと、
前記受信ステップにおいて受信された受信済みデータ量と前記情報全体のデータ量との割合に応じて、前記表示情報の拡大度を算出するとともに、前記受信位置から前記受信完了後の位置への移動の度合いを算出する算出ステップと、
前記算出ステップの算出結果に基づいて、拡大した表示情報を前記受信完了後の位置方向へ移動させて出力する出力ステップと、を実行させること
を特徴とする受信状況表示プログラム。
【発明の詳細な説明】
【技術分野】
【０００１】
本発明は、情報の送受信状況を表示する技術に関し、特に、複数の情報処理装置間で情報を送受信する際の送受信状況を可視化する技術に関する。
【背景技術】
【０００２】
情報キオスクや情報家電のような情報表示端末と、携帯型端末との間で、各種情報の送受信が行われている。このような情報の送受信の際に、情報表示端末では、情報の送受信状況を示すためにプログレスバーなどを表示する。これにより、ユーザは、処理の進捗状況を把握することができる。なお、特許文献１には、プログレスバーを用いた処理の進捗状況を示す方法が記載されている。
【特許文献１】特開平１０−３４１３号公報
【発明の開示】
【発明が解決しようとする課題】
【０００３】
プログレスバーは、通常、表示画面上に独立した小さな別ウィンドウ（例えば、ダイアログボックス）に表示される。このため、表示画面上に複数の情報が表示されている場合、プログレスバーがどの情報の送信（または受信）状況を表しているかを示す必要がある。一般的には、対象となる情報を特定するための簡易表現を、プログレスバーに付加してダイアログボックス内に表示している。なお、簡易表現は、例えば、文字等で表現されるタイトルなどである。
【０００４】
しかしながら、プログレスバーに簡易表現を付加する方法では、ユーザは、プログレスバーの対象となる情報を直感的に特定することは困難である。例えば、ユーザが、対象となる情報の簡易表現を認識（注目）していない場合には、プログレスバーが示す情報を特定することは容易ではない。
【０００５】
また、どちらの装置からどちらの装置に情報が送信されているのかを、ユーザに示すことは重要である。これについては、プログレスバーを含むダイアログボックス内に、文字等で表示することが考えられる。しかしながら、この場合においても、ユーザが送信元および送信先の装置を直感的に認識することは容易ではない。
【０００６】
本発明は上記事情に鑑みてなされたものであり、本発明の目的は、複数の装置間で情報を送受信する際の送受信状況を、ユーザがより容易に認識できるように可視化して表示することにある。
【課題を解決するための手段】
【０００７】
上記課題を解決するために、例えば、第１の発明は、送信状況の表示方法であって、情報処理装置は、情報を記憶する記憶部と、前記情報を所定の形状で表した表示情報を表示する出力部と、処理部とを有する。そして、処理部は、出力部上のいずれかの位置を送信位置として受け付ける受付ステップと、情報を記憶部から読み出し、当該情報を所定のデータ量毎に他の装置に送信する送信ステップと、送信ステップにおいて送信された送信済みデータ量と情報の全体データ量との割合に応じて、表示情報の収縮度を算出するとともに、表示情報が表示されている位置から送信位置へ移動の度合いを算出する算出ステップと、算出ステップの算出結果に基づいて、収縮した表示情報を送信位置方向へ移動させて出力する出力ステップと、を行う。
【０００８】
また、第２の発明は、受信状況の表示方法であって、情報処理装置は、情報を記憶する記憶部と、前記情報を所定の形状で表した表示情報を表示する出力部と、処理部とを有する。そして、処理部は、出力部上のいずれかの位置を受信位置として受け付ける受付ステップと、受信完了後に表示情報が表示される受信完了後の位置を特定する特定ステップと、  他の装置から送信される情報を所定のデータ量毎に受信し、記憶部に記憶する受信ステップと、受信ステップにおいて受信された受信済みデータ量と情報全体のデータ量との割合に応じて、表示情報の拡大度を算出するとともに、受信位置から受信完了後の位置への移動の度合いを算出する算出ステップと、算出ステップの算出結果に基づいて、拡大した表示情報を受信完了後の位置方向へ移動させて出力する出力ステップと、を行う。
【発明の効果】
【０００９】
本発明により、ユーザは、どの情報が送受信中であるのか、送受信の進捗状況、送信元および送信先の装置などの送受信状況を、一目で直感的に認識することができる。
【発明を実施するための最良の形態】
【００１０】
以下、本発明の実施の形態について説明する。
【００１１】
図１は、本発明の一実施形態が適用された情報送受信システムの全体構成図である。
【００１２】
図示するように、本実施形態の情報送受信システムは、情報表示端末１と、携帯型端末２とを有する。情報表示端末１は、街頭などに置かれる情報キオスクや、家庭内の情報家電など、各種の情報（データ、ファイル、コンテンツ等）を蓄積および表示する装置である。情報表示端末１は、図示するように、入力部１１と、処理制御部１２と、出力部１３と、通信部１４と、記憶部１５と、を有する。
【００１３】
入力部１１は、情報表示端末１における各種設定条件の入力指示または変更指示を受け付ける。処理制御部１２は、情報表示端末１の処理を制御する。出力部１３は、各種の情報を出力装置に出力（表示）する。通信部１４は、携帯型端末２と情報の送受信を行う。記憶部１５には、各種の情報が記憶されている。
【００１４】
携帯型端末２は、情報表示端末１から各種の情報を受信するとともに、当該携帯型端末２に記憶された各種の情報を情報表示端末１に送信する装置である。携帯型端末２は、図示するように、入力部２１と、処理制御部２２と、出力部２３と、通信部２４と、記憶部２５と、を有する。
【００１５】
入力部２１は、情報の送信指示または受信指示などを受け付ける。処理制御部２２は、携帯型端末２の処理を制御する。出力部２３は、各種の情報を出力する。通信部２４は、情報表示端末１と情報の送受信を行う。記憶部２５には、各種の情報が記憶されている。
【００１６】
情報表示端末１と携帯型端末２と通信は、ＵＳＢ（Universal Serial Bus）のように通信先の装置と接触させる通信タイプであっても、あるいは、ＩｒＤＡ（Infrared Data Association）規格による赤外線通信のように非接触の通信タイプであってもよい。本実施形態では、ＩｒＤＡの赤外線通信とする。
【００１７】
上記説明した、情報表示端末１および携帯型端末２は、いずれも、例えば図２に示すようなＣＰＵ９０１と、メモリ９０２と、ＨＤＤ等の外部記憶装置９０３と、数字ボタンや各機能ボタンなどの入力装置９０４と、ディスプレイなどの出力装置９０５と、他の装置と接続するための通信制御装置９０６と、これらの各装置を接続するバス９０７と、を備えた汎用的なコンピュータシステムを用いることができる。
【００１８】
このコンピュータシステムにおいて、ＣＰＵ９０１がメモリ９０２上にロードされた所定のプログラムを実行することにより、各装置の各機能が実現される。例えば、情報表示端末１および携帯型端末２の各機能は、情報表示端末１用のプログラムの場合は、情報表示端末１のＣＰＵ９０１が、そして、携帯型端末２用のプログラムの場合は、携帯型端末２のＣＰＵ９０１が、それぞれ実行することにより実現される。なお、情報表示端末１の記憶部１５には、情報表示端末１のメモリ９０２または外部記憶装置９０３が用いられる。また、携帯型端末２の記憶部２５には、携帯型端末２のメモリ９０２または外部記憶装置９０３が用いられる。
【００１９】
次に、情報表示端末１と携帯型端末２との間で送受信される情報の表示方法を説明する。
【００２０】
図３は、情報表示端末１から携帯型端末２に情報を送信する場合の表示方法を模式的に示した図である。図示する例では、ＳＴＥＰ３１の初期状態（送信前の状態）から、ＳＴＥＰ３４の送信完了状態までを順に示している。
【００２１】
ＳＴＥＰ３１の初期状態において、情報表示端末１側では、表示情報Ａ１１１と表示情報Ｂ１１２と表示情報Ｃ１１３とが、出力装置の表示領域１１０に表示されているものとする。各表示情報１１１、１１２、１１３は、記憶部１５に記憶された各情報を、所定の方法により矩形状に表示（表現）したものである。例えば、記憶部１５に記憶された情報が文書ファイルの場合は、表示情報には当該文書ファイルのタイトルまたはヘッドラインが表示されものとする。また、記憶部１５に記憶された情報が動画ファイルの場合は、表示情報には当該動画ファイルの先頭フレームが縮小して表示されるものとする。なお、携帯型端末２の表示領域２１０には、何も表示されていないものとする。この状態において、表示情報Ｂ１１２の情報を携帯型端末２に送信する場合を例に以下説明する。
【００２２】
ＳＴＥＰ３２の送信状態においては、情報表示端末１に表示された表示情報Ｂ１１２が、赤外線通信装置などの通信制御装置９０６Ａの方に移動して表示されている。また、ＳＴＥＰ３１の初期状態では矩形であった表示情報Ｂ１１２が、上底より下底（通信制御装置側）が小さい台形に縮小されて表示されている。
【００２３】
ＳＴＥＰ３３の送信状態においては、情報表示端末１に表示された表示情報Ｂ１１２は、ＳＴＥＰ３２よりさらに通信制御装置９０６Ａの方に移動して表示されている。また、表示情報Ｂ１１２の形状は、ＳＴＥＰ３２よりさらに縮小されて表示されている。
【００２４】
ＳＴＥＰ３４の送信完了状態においては、情報表示端末１の表示領域１１０には、表示情報Ａ１１１および表示情報Ｃ１１３のみが表示され、表示情報Ｂ１１２は表示されていない。この状態において、携帯型端末２の表示領域２１０には、表示情報Ｂ２１１が表示されている。
【００２５】
図示するように、表示情報Ｂ１１２は、送信処理の進行度合いに応じて、あらかじめ表示されていた表示位置から漸次、通信制御装置側に移動して表示される。また、表示情報Ｂ１１２は、通信制御装置に近い側から徐々に収縮して表示される。このように、送信対象の表示情報Ｂ１１２が、あたかも通信制御装置をすり抜けて、携帯型端末２に吸い込まれるように表示することにより、どの情報を送信しているのか、送信処理の進捗状況、送信側の装置および受信側の装置などの送信状況を、ユーザは一目で直感的に認識することができる。
【００２６】
図４は、情報表示端末１が、携帯型端末２から情報を受信する場合の表示方法を模式的に示した図である。図示する例では、ＳＴＥＰ４１の初期状態（受信前の状態）から、ＳＴＥＰ４４の受信完了状態までを順に示している。
【００２７】
ＳＴＥＰ４１の初期状態において、情報表示端末１側では、表示情報Ａ１１１と表示情報Ｃ１１３とが、表示領域１１０に表示されているものとする。また、携帯型端末２の表示領域２１０には、記憶部２５に記憶された所定の情報を示す表示情報Ｂ２１１が表示されているものとする。この状態において、情報表示端末１が、携帯型端末２の表示情報Ｂ２１１の情報を受信する場合を例に以下説明する。
【００２８】
ＳＴＥＰ４２の受信状態において、情報表示端末１側では、通信制御装置９０６Ａの近傍に、通信制御装置９０６Ａ側が縮小された台形の表示情報Ｂ１１２が、表示されている。また、携帯型端末２側では、表示情報Ｂ２１１は表示されていない。
【００２９】
ＳＴＥＰ４３の受信状態において、情報表示端末１側では、表示情報Ｂ１１２が通信制御装置９０６Ａから離れた位置に表示されている。また、表示情報Ｂ１１２は、ＳＴＥＰ４２の表示情報Ｂ１１２より拡大して表示されている。
【００３０】
ＳＴＥＰ４４の受信完了状態においては、情報表示端末１側では、表示情報Ｂ１１２が、ＳＴＥＰ４３の表示情報Ｂ１１２より拡大され、矩形状で所定の位置に表示されている。
【００３１】
図示するように、表示情報Ｂ１１２は、受信処理の進行度合いに応じて、通信制御装置に近い位置から受信完了後の表示位置に、漸次、移動して表示される。また、表示情報Ｂ１１２は、受信完了後の表示位置に近い側から拡大して表示される。このように、受信対象の表示情報Ｂ１１２が、あたかも通信制御装置および携帯型端末２に圧縮して閉じ込められていたかのように表示することにより、どの情報を受信しているのか、受信処理の進捗状況、送信側の装置および受信側の装置などの受信状況を、ユーザは一目で直感的に認識することができる。また、ユーザは、受信している情報の表示情報が、受信完了後に表示領域１２０のどの位置に表示されるかを予見することがでる。すなわち、受信した情報の表示情報が表示領域のいずれかの位置に突然表示される場合と異なり、ユーザは受信対象の表示情報を見失うことはない。
【００３２】
次に、情報表示端末１と携帯型端末２間での情報の送受信処理について、より具体的に説明する。
【００３３】
図５は、情報表示端末１における処理手順を示すフロー図である。まず、情報表示端末１の入力部１１は、情報の送受信を行う前に、当該情報表示端末１が有する通信制御装置の位置の設定を受け付ける（Ｓ５１）。すなわち、情報表示端末１のユーザは、入力装置を用いて、出力装置の表示領域内で通信制御装置に最も近い位置を入力する。そして、処理制御部１２は、入力部１１が受け付けた位置（座標）を、記憶部１５に記憶する。
【００３４】
そして、処理制御部１２は、記憶部１５に記憶された各情報を読み出し、読み出した情報各々の表示情報を生成する。すなわち、読み出した情報のタイトル、ヘッドライン、先頭フレームなどが設定された矩形状の表示情報を生成する。そして、処理制御部１２は、出力部１３を制御して、各表示情報を出力装置の所定の位置に表示する。この状態において、処理制御部１２は、携帯型端末２からの要求（メッセージ）を待つ（Ｓ５２）。なお、記憶部１５に情報が記憶されていない場合、出力装置には表示情報が表示されない。
【００３５】
そして、処理制御部１２は、通信部１４を制御して携帯型端末２から要求を受け付け、当該要求が情報取得要求か否かを判別する（Ｓ５３）。情報取得要求は、携帯型端末２が情報表示端末１に記憶された情報の取得を要求するものである。以下に、携帯型端末２の処理（不図示）を説明する。
【００３６】
携帯型端末２のユーザは、まず、携帯型端末２の通信制御装置を情報表示端末１の通信制御装置の方に向ける（図３、図４参照）。そして、携帯型端末２のユーザは、情報取得要求の場合、情報表示端末１の出力装置に表示された表示情報のいずれかを選択し、入力装置を用いて選択した表示情報を取得するための指示を入力する。携帯型端末２の入力部２１は、入力装置を介して入力された指示を受け付ける。そして、処理制御部２２は、受け付けた指示を含む情報取得要求を、情報表示端末１に送信する。すなわち、処理制御部２２は、通信部２４を制御することにより、通信制御装置を介して、情報表示端末１に情報取得要求を送信する。
【００３７】
情報取得要求と判別した場合（Ｓ５３：ＹＥＳ）、情報表示端末１の処理制御部１２は、情報取得要求で指定された表示情報に対応する情報を記憶部１５から読み出す。そして、処理制御部１２は、読み出した情報の一部（すなわち、一定量）を携帯型端末２に送信する（Ｓ５４）。一定量は、例えば、一度に送信できる量である。
【００３８】
そして、処理制御部１２は、送信対象の表示情報の表示位置と収縮度とを算出する（Ｓ５５）。以下に、図６を用いて、表示位置と収縮度との算出方法を説明する。
【００３９】
図６は、表示情報の表示位置と収縮度とを模式的に示した図である。図示する情報表示端末１の表示領域１１０において、座標の原点を表示領域１１０の左上頂点Ｇとする。そして、表示領域１１０には、要求された表示情報の元の表示位置１１２（Ｓ５２で表示される表示位置）と、送信後の表示位置１１２´とが、図示されている。元の表示位置での表示情報１１２は、左上頂点Ｑと、右上頂点Ｒと、左下頂点Ｓと、右下頂点Ｔとを結ぶ矩形である。また、表示領域１１０には、Ｓ５１において特定された通信制御装置から最も近い位置Ｐ点が図示されている。また、表示領域１１０には、Ｐ点と表示情報１１２の左上頂点Ｑとを結ぶ直線ＰＱと、Ｐ点と表示情報１１２の右上頂点Ｒとを結ぶ直線ＰＲとが図示されている。
【００４０】
また、表示情報１１２の左上頂点ＱのＹ座標を「ＩＹ」、表示領域１１０の縦の長さを「ＳＨ」、表示情報１１２に対応する情報全体のファイルサイズを「ＴＳ」、および、全体ファイルサイズのうちこれまでに送信した送信済みファイルサイズを「ＳＳ」とする。なお、各情報の全体ファイルサイズ「ＴＳ」は、あらかじめ記憶部１５に記憶されているものとする。また、送信済みファイルサイズ「ＳＳ」は、処理制御部１２がＳ５４の送信後にこれまで送信したトータルのファイルサイズを記憶部１５に記憶するものとする。
【００４１】
処理制御部１２は、図６に示す場合において、送信後表示情報１１２´の左上頂点Ｑ´のＹ座標「ＩＹ´」を、以下の式により算出する。
【００４２】
ＩＹ´＝ＩＹ＋（ＳＨ−ＩＹ）×ＳＳ／ＴＳ
そして、処理制御部１２は、送信後表示位置１１２´の左上頂点Ｑ´を、直線ＰＱ上でかつＹ座標「ＩＹ´」の位置に設定する。また、処理制御部１２は、送信後表示位置１１２´の右上頂点Ｒ´を、直線ＰＲ上でかつＹ座標「ＩＹ´」の位置に設定する。また、処理制御部１２は、送信後表示位置１１２´の左下頂点Ｓ´を、直線ＰＱ上に設定する。その際に処理制御部１２は、送信後表示情報１１２´の高さが元の表示情報１１２の高さ（すなわち線分ＱＳ）と同じになるように左下頂点Ｓ´を設定する。また、処理制御部１２は、右下頂点Ｔ´を、直線ＰＲ上でかつ左下頂点Ｓ´のＹ座標の位置に設定する。
【００４３】
そして、処理制御部１２は、元の表示位置１１２に表示される表示情報が、送信後表示位置１１２´内に適合する（収まる）ように、スキャンライン毎に収縮度を算出する。
【００４４】
次に、処理制御部１２は、Ｓ５５において算出した送信後の表示位置およびスキャンライン毎との収縮度に基づいて、出力装置に表示される表示情報を更新する（Ｓ５６）。すなわち、処理制御部１２は、出力部１３を制御して、送信後の表示情報を出力する。
【００４５】
そして、処理制御部１２は、要求された情報全部を送信したか否かを判別する（Ｓ５７）。情報の全てを送信した場合（Ｓ５７：ＹＥＳ）、処理制御部１２は、記憶部１５から当該情報を削除し、Ｓ５２の待ち状態に進む。一方、送信が完了していない場合（Ｓ５７：ＮＯ）、処理制御部１２は、Ｓ５４へ進む。
【００４６】
次に、Ｓ５３において、情報取得要求でないと判別した場合（Ｓ５３：ＮＯ）について説明する。
【００４７】
情報取得要求でないと判別した場合（Ｓ５３：ＮＯ）、処理制御部１２は、さらに情報送信要求か否かを判別する（Ｓ５８）。情報送信要求は、携帯型端末２が当該携帯型端末２の記憶部２５に記憶された情報の送信を要求するものである。情報送信要求の場合（Ｓ５８：ＹＥＳ）、処理制御部１２は、受信完了後の表示情報の表示位置を特定する（Ｓ５９）。なお、ここでいう表示位置とは、矩形で表示される表示情報の左上頂点の座標、および、矩形の縦と横の長さである。本実施形態では、表示情報の縦と横の長さはあらかじめ定められているものとする。また、本実施形態では、出力装置の左上、左下、右上および右下に最大で４つ表示情報が表示されるもとのとする。したがって、処理制御部１２は、図４に示すＳＴＥＰ４１の状態において情報送信要求を受け付けた場合、現時点で表示情報が表示されていない右上の表示位置（ＳＴＥＰ４４の表示情報Ｂ１１２）を特定する。
【００４８】
そして、処理制御部１２は、携帯型端末２から送信される情報の一部（すなわち、一定量）を受信し、記憶部１５に記憶する（Ｓ６０）。一定量は、例えば、一度に受信できる量である。
【００４９】
そして、処理制御部１２は、表示情報の表示位置と拡大度とを算出する（Ｓ６１）。  ここで、図６に示すように、情報表示端末１の表示領域１１０の原点座標を左上頂点Ｇとし、受信完了後表示位置１１２の左上頂点ＱのＹ座標を「ＩＹ」、表示領域１１０の縦の長さを「ＳＨ」、受信する情報全体のファイルサイズを「ＴＳ」、および、全体ファイサイズのうちこれまでに受信した受信ファイルサイズを「ＲＳ」とする。なお、携帯型端末２は、情報を送信する前に、送信する情報全体のファイルサイズ「ＴＳ」を送信するものとする。そして、情報表示端末１の処理制御部１２は、全体のファイルサイズ「ＴＳ」を受信し、記憶部１５に記憶する。
【００５０】
処理制御部１２は、受信後表示情報１１２´の左上頂点Ｑ´のＹ座標「ＩＹ´」を、以下の式により算出する。
【００５１】
ＩＹ´＝ＳＨ−（ＳＨ−ＩＹ）×ＲＳ／ＴＳ
そして、処理制御部１２は、受信後表示位置１１２´の左上頂点Ｑ´を、直線ＰＱ上でかつＹ座標「ＩＹ´」の位置に設定する。また、処理制御部１２は、受信後表示位置１１２´の右上頂点Ｒ´を、直線ＰＲ上でかつＹ座標「ＩＹ´」の位置に設定する。また、処理制御部１２は、受信後表示位置１１２´の左下頂点Ｓ´を、直線ＰＱ上に設定する。その際に処理制御部１２は、受信後表示情報１１２´の高さが受信完了後の表示情報１１２の高さ（すなわち線分ＱＳ）と同じになるように左下頂点Ｓ´を設定する。また、処理制御部１２は、右下頂点Ｔ´を、直線ＰＲ上でかつ左下頂点Ｓ´のＹ座標の位置に設定する。  そして、処理制御部１２は、受信完了後の表示位置１１２に表示されるべき表示情報を、受信後表示位置１１２´内に適合する（収まる）ように、スキャンライン毎に拡大度を算出する。なお、ここでいう拡大度は、受信完了後の表示位置１１２に表示されるべき表示情報からみると収縮度である。しかしながら、受信開始から受信完了までの間に、表示される表示情報は徐々に拡大していくため拡大度とする。
【００５２】
次に、処理制御部１２は、Ｓ６１において算出した受信後の表示位置およびスキャンライン毎の拡大度に基づいて、出力装置に表示される表示情報を更新する（Ｓ６２）。すなわち、処理制御部１２は、出力部１３を制御して、受信後の表示情報を出力する。なお、受信完了後の表示位置１１２に表示される表示情報を完全に受信していない場合は、可能な範囲で表示情報を出力する。
【００５３】
そして、処理制御部１２は、情報を全て受信したか否かを判別する（Ｓ６３）。受信完了の場合（Ｓ６３：ＹＥＳ）、処理制御部１２は、Ｓ５２の待ち状態に進む。一方、受信が完了していない場合（Ｓ６３：ＮＯ）、処理制御部１２は、Ｓ６０へ進む。
【００５４】
以上、本発明の一実施形態を説明した。
【００５５】
本実施形態では、送信対象の表示情報は、送信処理の進行度合いに応じて、あらかじめ表示されていた表示位置から漸次、通信制御装置側に移動して表示される。また、表示情報は、通信制御装置に近い側から徐々に収縮して表示される。このように、送信対象の表示情報が、あたかも通信制御装置をすり抜けて、携帯型端末２に吸い込まれるように表示することにより、どの情報を送信しているのか、送信処理の進捗状況、送信側の装置および受信側の装置、などの送信状況を、ユーザは一目で直感的に認識することができる。
【００５６】
また、本実施形態では、受信対象の表示情報は、受信処理の進行度合いに応じて、通信制御装置に近い位置から受信完了後の表示位置に、漸次、移動して表示される。また、受信対象の表示情報は、受信完了後の表示位置に近い側から拡大して表示される。このように、受信対象の表示情報が、あたかも通信制御装置および携帯型端末２に圧縮して閉じ込められていたかのように表示することにより、どの情報を受信しているのか、受信処理の進捗状況、送信側の装置および受信側の装置などの受信状況を、ユーザは一目で直感的に認識することができる。また、ユーザは、受信している情報の表示情報が、受信完了後に表示領域のどの位置に表示されるかを予見することがでる。すなわち、ユーザは、受信対象の表示情報を見失うことはない。
【００５７】
なお、本発明は上記の実施形態に限定されるものではなく、その要旨の範囲内で数々の変形が可能である。例えば、上記の実施形態では、情報表示端末１から携帯型端末２に情報を送信する際に、情報表示端末１は、送信完了後に記憶部１５から送信済みの情報を削除する。しかしながら、情報表示端末１は、送信済みの情報を記憶部１５から削除せず、再度、携帯型端末２に送信済みの情報を送信することとしてもよい。この場合、情報表示端末１の出力装置に表示される表示情報自体は、上記実施形態のように移動および収縮しない。そのかわり、表示情報のコピー（例えば、半透明で表示）を別途表示し、当該コピーの表示情報を移動および縮小することが考えられる。
【００５８】
また、上記実施形態では、情報の送受信回数に応じて表示画面が更新される。したがって、例えば情報のファイルサイズが小さい場合など送受信回数が少ない場合、滑らかなアニメーションとはならない。そこで、情報の送受信の進行度合いを表示情報の表示位置や縮尺に直ちに反映せず、送受信の回数に対して表示画面の更新回数を多くすることにより、徐々に実際の表示位置と縮尺に近づけることとしてもよい。
【００５９】
また、上記の実施形態では、表示情報の送受信位置（図６のＰ点）を通信制御装置の備え付けられた場所に近い位置とした。しかしながら、通信制御装置が電波のような指向性の弱い通信媒体を用いて通信する場合には、情報表示端末１の出力装置（表示画面）が設置される高さと、使用する携帯型端末２の高さとに応じて送受信位置を決定することとしてもよい。例えば、携帯型端末２を情報表示端末１の出力装置より高い位置で操作する場合、送受信位置を表示画面の上部に設定することが考えられる。また、携帯型端末２を情報表示端末１の出力装置より低い位置で操作する場合、送受信位置を表示画面の下部に設定することが考えられる。
【００６０】
また、上記実施形態での表示情報は矩形である。しかしながら、本発明はこれに限定されず、表示情報に矩形以外の形状を用いることができる。
【図面の簡単な説明】
【００６１】
【図１】図１は、本発明の一実施形態が適用された情報送受信システムの全体構成を示す図である。
【図２】図２は、情報表示端末および携帯型端末のハードウェア構成例を示す図である。
【図３】図３は、情報を送信する場合の表示方法を模式的に示す図である。
【図４】図４は、情報を受信する場合の表示方法を模式的に示す図である。
【図５】図５は、情報表示端末の処理フロー図である。
【図６】図６は、表示情報の移動を模式的に示した図である。
【符号の説明】
【００６２】
１：情報表示端末、１１：入力部、１２：処理制御部、１３：出力部、１４：通信部、１５：記憶部、２：携帯型端末、２１：入力部、２２：処理制御部、２３：出力部、２４：通信部、２５：記憶部
【図１】
2006119900.tif 000003
【図２】
2006119900.tif 000004
【図３】
2006119900.tif 000005
【図４】
2006119900.tif 000006
【図５】
2006119900.tif 000007
【図６】
2006119900.tif 000008